(57)【要約】【課題】無線基地局がフレーム番号を再設定した場合、ユーザ端末に早期にフレーム番号を再取得させることができる。【解決手段】上位装置によって間欠受信周期が設定されるユーザ端末と無線通信を行う無線基地局であって、無線フレームを生成する信号処理部と、無線フレームを無線通信によってユーザ端末に送信する無線部と、無線フレームの同期を取るためのフレーム番号を信号処理部が再設定した場合、フレーム番号を含む報知情報の取得をユーザ端末に指示するページングメッセージを生成する生成部と、を備え、信号処理部は、フレーム番号の再設定後の所定時間にわたりページングメッセージを含む無線フレームを生成し、無線部は、ページングメッセージを含む無線フレームをユーザ端末に送信する。【選択図】図５
2019029716.tif 000002
【特許請求の範囲】
【請求項１】
上位装置によって間欠受信周期が設定されるユーザ端末と無線通信を行う無線基地局であって、
無線フレームを生成する信号処理部と、
前記無線フレームを無線通信によって前記ユーザ端末に送信する無線部と、
前記無線フレームの同期を取るためのフレーム番号を前記信号処理部が再設定した場合、前記フレーム番号を含む報知情報の取得を前記ユーザ端末に指示するページングメッセージを生成する生成部と、を備え、
前記信号処理部は、前記フレーム番号の再設定後の所定時間にわたり前記ページングメッセージを含む無線フレームを生成し、
前記無線部は、前記ページングメッセージを含む無線フレームを前記ユーザ端末に送信する、
無線基地局。
【請求項２】
前記信号処理部は、前記ユーザ端末に設定され得る前記間欠受信周期のうち最も長い周期の時間にわたり前記ページングメッセージを含む無線フレームを生成する、
請求項１に記載の無線基地局。
【請求項３】
前記信号処理部は、在圏する複数の前記ユーザ端末に設定されている前記間欠受信周期のうちの最も長い周期の時間にわたり前記ページングメッセージを含む無線フレームを生成する、
請求項１に記載の無線基地局。
【請求項４】
前記信号処理部は、前記ユーザ端末が前記報知情報を受信するフレーム番号の１つ前の番号になるまで、前記ページングメッセージを含む無線フレームを生成する、
請求項１に記載の無線基地局。
【請求項５】
前記信号処理部は、前記ユーザ端末が前記報知情報を受信するフレーム番号から、前記ページングメッセージを含む無線フレームを生成する、
請求項１に記載の無線基地局。
【請求項６】
上位装置によって間欠受信周期が設定されるユーザ端末と無線通信を行う無線基地局のタイミング制御方法であって、
無線フレームの同期を取るためのフレーム番号を再設定した場合、前記フレーム番号を含む報知情報の取得を前記ユーザ端末に指示するページングメッセージを生成し、
前記フレーム番号の再設定後の所定時間にわたり前記ページングメッセージを含む無線フレームを生成し、
前記ページングメッセージを含む前記無線フレームを前記ユーザ端末に送信する、
タイミング制御方法。
【請求項７】
上位装置によって間欠受信周期が設定されるユーザ端末と無線通信を行う無線基地局であって、
無線フレームを生成する信号処理部と、
前記無線フレームを無線通信によって前記ユーザ端末に送信する無線部と、
前記無線フレームの同期を取るためのフレーム番号を前記信号処理部が再設定する場合、前記フレーム番号を含む報知情報の取得を前記ユーザ端末に指示するページングメッセージを生成する生成部と、を備え、
前記信号処理部は、前記フレーム番号の再設定前の所定時間にわたり前記ページングメッセージを含む無線フレームを生成し、
前記無線部は、前記ページングメッセージを含む無線フレームを前記ユーザ端末に送信する、
無線基地局。
【請求項８】
上位装置によって間欠受信周期が設定されるユーザ端末と無線通信を行う無線基地局のタイミング制御方法であって、
無線フレームの同期を取るためのフレーム番号を再設定する場合、前記フレーム番号を含む報知情報の取得を前記ユーザ端末に指示するページングメッセージを生成し、
前記フレーム番号の再設定前の所定時間にわたり前記ページングメッセージを含む無線フレームを生成し、
前記ページングメッセージを含む前記無線フレームを前記ユーザ端末に送信する、
タイミング制御方法。
【請求項９】
上位装置によって間欠受信周期が設定されるユーザ端末であって、
無線基地局により無線フレームの同期を取るためのフレーム番号が再設定される場合、前記無線基地局により再設定前の所定時間にわたり送信される、前記フレーム番号を含む報知情報の受信を指示するページングメッセージを受信する無線部と、
前記ページングメッセージを受信した場合、所定のフレーム番号において前記報知情報を受信し、前記報知情報に含まれるフレーム番号を取得して、前記無線フレームの同期を取る信号処理部と、
を有するユーザ端末。
【請求項１０】
上位装置によって間欠受信周期が設定されるユーザ端末と無線通信を行う無線基地局であって、
電波出力を停止する場合、前記ユーザ端末の前記間欠受信周期よりも長い時間、電波出力を停止する無線部、
を有する無線基地局。
【発明の詳細な説明】
【技術分野】
【０００１】
本発明は、無線基地局、タイミング制御方法、およびユーザ端末に関する。
【背景技術】
【０００２】
近年、ＩｏＴ（Internet of Things）に関する技術が盛んに検討されている。ＩｏＴでは、省電力化が重要であり、例えば、ＭＴＣ（Machine Type Communication）のユーザ端末では、１０年以上のバッテリ交換不要などの省電力化が検討されている。
【０００３】
省電力化技術には、例えば、ＤＲＸ（Discontinuous Reception）またはｅＤＲＸ（extended DRX）がある（例えば、非特許文献１を参照）。ユーザ端末は、信号を受信していない期間では、ＲＦ（Radio Frequency）機能を停止させてスリープ状態とし、消費電力を抑制する。
【先行技術文献】
【非特許文献】
【０００４】
【非特許文献１】武田他「ＬＴＥ  Ｒｅｌｅａｓｅ  １３におけるＩｏＴを実現する新技術」ＮＴＴ  ＤＯＣＯＭＯ  テクニカルジャーナル，Ｊｕｌ．２０１６，Ｖｏｌ．２４  Ｎｏ．２  ｐｐ．３８−４９
【発明の概要】
【発明が解決しようとする課題】
【０００５】
ところで、無線基地局では、例えば、保守等の再起動によって、無線フレームのＳＦＮ（System Frame Number）を再設定する場合がある。この場合、スリープ状態のユーザ端末は、無線基地局のＳＦＮの再設定を検出することができず、ＳＦＮが不一致（非同期）となる。ＳＦＮが非同期となったユーザ端末は、無線基地局からＰａｇｉｎｇメッセージ（呼び出し）を受信できなくなるおそれがある。しかしながら、ユーザ端末に早期にＳＦＮを再取得させる技術は、これまで提案されていない。
【０００６】
本発明は、無線基地局がフレーム番号を再設定した場合、ユーザ端末に早期にフレーム番号を再取得させる技術を提供する。
【課題を解決するための手段】
【０００７】
本発明の無線基地局は、上位装置によって間欠受信周期が設定されるユーザ端末と無線通信を行う無線基地局であって、無線フレームを生成する信号処理部と、前記無線フレームを無線通信によって前記ユーザ端末に送信する無線部と、前記無線フレームの同期を取るためのフレーム番号を前記信号処理部が再設定した場合、前記フレーム番号を含む報知情報の取得を前記ユーザ端末に指示するページングメッセージを生成する生成部と、を備え、前記信号処理部は、前記フレーム番号の再設定後の所定時間にわたり前記ページングメッセージを含む無線フレームを生成し、前記無線部は、前記ページングメッセージを含む無線フレームを前記ユーザ端末に送信する。
【０００８】
また、本発明の無線基地局は、上位装置によって間欠受信周期が設定されるユーザ端末と無線通信を行う無線基地局であって、無線フレームを生成する信号処理部と、前記無線フレームを無線通信によって前記ユーザ端末に送信する無線部と、前記無線フレームの同期を取るためのフレーム番号を前記信号処理部が再設定する場合、前記フレーム番号を含む報知情報の取得を前記ユーザ端末に指示するページングメッセージを生成する生成部と、を備え、前記信号処理部は、前記フレーム番号の再設定前の所定時間にわたり前記ページングメッセージを含む無線フレームを生成し、前記無線部は、前記ページングメッセージを含む無線フレームを前記ユーザ端末に送信する。
【０００９】
また、本発明の無線基地局は、上位装置によって間欠受信周期が設定されるユーザ端末と無線通信を行う無線基地局であって、電波出力を停止する場合、前記ユーザ端末の前記間欠受信周期よりも長い時間、電波出力を停止する無線部、を有する。
【発明の効果】
【００１０】
本発明によれば、無線基地局がフレーム番号を再設定した場合、ユーザ端末に早期にフレーム番号を再取得させることができる。
【図面の簡単な説明】
【００１１】
【図１】実施の形態１に係る無線通信システムの構成例を示した図である。
【図２】ユーザ端末の間欠受信の例を説明する図である。
【図３】間欠受信のスリープ時間の例を説明する図である。
【図４】ユーザ端末のＰａｇｉｎｇメッセージの受信の例を説明する図である。
【図５】無線基地局の機能ブロック例を示した図である。
【図６】ユーザ端末の機能ブロック例を示した図である。
【図７】ＳＦＮおよびＨＳＦＮの再同期処理の例を説明する図である。
【図８】ＤＲＸを適用したユーザ端末とｅＤＲＸを適用したユーザ端末とが在圏する場合の無線基地局の動作例を示したフローチャートである。
【図９】ユーザ端末がＳＦＮを２回取得する例について説明する図である。
【図１０】実施の形態２に係るＳＦＮを再同期させる処理例を説明する図である。
【図１１】ＳＦＮを再同期させる別の処理例を説明する図である。
【図１２】実施の形態３に係るＳＦＮを再同期させる処理例を説明する図である。
【図１３】ＳＦＮを再同期させる別の処理例を説明する図である。
【図１４】実施の形態４に係るＳＦＮを再同期させる処理例を説明する図である。
【図１５】本発明の一実施の形態に係る無線基地局及びユーザ端末のハードウェア構成の一例を示す図である。
【発明を実施するための形態】
【００１２】
以下、本発明の実施の形態を、図面を参照して説明する。
【００１３】
［実施の形態１］
図１は、実施の形態１に係る無線通信システムの構成例を示した図である。図１に示すように、無線通信システムは、無線基地局（ｅＮｏｄｅＢ）１と、ユーザ端末（ＵＥ：User Equipment）２ａ〜２ｃと、コアネットワーク３と、を有している。
【００１４】
無線基地局１は、コアネットワーク３に接続されている。コアネットワーク３は、例えば、ＭＭＥ（Mobility Management Entity）、Ｓ−ＧＷ（Serving Gateway）、またはＰ−ＧＷ（Pakcet Data network Gateway）等の上位装置を含む。無線基地局１は、Ｃ−ＲＡＮ（Centralized Radio Access Network）または高度化Ｃ−ＲＡＮに対応するように、例えば、ユーザ端末２ａ〜２ｃと無線通信を行う張出局と、張出局を制御するＢＢＵ（BaseBand processing Unit）とに分離されていてもよい。
【００１５】
ユーザ端末２ａ〜２ｃは、無線基地局１と無線通信を行う。ユーザ端末２ａ〜２ｃは、間欠受信を行う端末であり、例えば、スマートメータまたは測定機器等のＭＴＣ端末である。無線基地局１の配下には、スマートフォンまたは携帯電話などの無線端末が在圏していてもよい。
【００１６】
図２は、ユーザ端末２ａの間欠受信の例を説明する図である。図２には、無線基地局１のＳＦＮと、ユーザ端末２ａのＳＦＮとが示されている。
【００１７】
無線基地局１およびユーザ端末２ａは、ＳＦＮが同期していることによって、各種信号の送受信タイミングを合わせることができ、無線通信を行うことができる。例えば、図２に示すように、無線基地局１およびユーザ端末２ａのＳＦＮが一致し、ＳＦＮが切り替わるタイミングが一致することによって、無線基地局１およびユーザ端末２ａは、無線通信を行うことができる。
【００１８】
無線基地局１は、上位装置（例えば、ＭＭＥ）からＰａｇｉｎｇメッセージを受信する。無線基地局１は、受信したＰａｇｉｎｇメッセージを、ユーザ端末２ａが無線機能をオンするＳＦＮにおいて、ユーザ端末２ａに送信する。なお、上位装置から、無線基地局１に送信されるＰａｇｉｎｇメッセージを、Ｓ１Ｐａｇｉｎｇメッセージと呼ぶことがある。
【００１９】
ユーザ端末２ａは、スリープ中、無線機能をオフにしている。ユーザ端末２ａは、上位装置から、予め指定されたＳＦＮにおいて無線機能をオンし、Ｐａｇｉｎｇメッセージの受信動作を開始する。
【００２０】
例えば、ユーザ端末２ａは、Ｐａｇｉｎｇメッセージを受信するタイミングとして、上位装置から予め「ＳＦＮ１」と「ＳＦＮ５」とが指定されているとする。この場合、無線基地局１は、図２に示すように、「ＳＦＮ１」と「ＳＦＮ５」とにおいて、Ｐａｇｉｎｇメッセージをユーザ端末２ａに送信する。
【００２１】
ユーザ端末２ａは、予め上位装置から指定された「ＳＦＮ１」と「ＳＦＮ５」とにおいて、無線機能をオンし、無線基地局１から送信されるＰａｇｉｎｇメッセージを受信する。これにより、ユーザ端末２ａは、上位装置からＰａｇｉｎｇされ（呼び出され）、例えば、ＤＬ（Down Link）信号を受信することができる。
【００２２】
なお、１ＳＦＮの長さは、１０ｍｓである。ＳＦＮの番号は、０〜１０２３まで定義されている。「ＳＦＮ０」から「ＳＦＮ１０２３」までを合計したＳＦＮ周期の長さは、１０．２４ｓとなる。
【００２３】
また、ｅＤＲＸでは、ＨＳＦＮ（Hyper SFN）が定義されている。ＨＳＦＮは、ＳＦＮの周回の回数をカウントし、１ＨＳＦＮの長さは、ＳＦＮ周期の長さ（１０．２４ｓ）である。ＨＳＦＮの番号は、０〜１０２３まで定義されている。ＨＳＦＮ０からＨＳＦＮ１０２３までを合計したＨＳＦＮの長さは、１７４．７６ｍｉｎとなる。
【００２４】
また、図２では、ユーザ端末２ａの間欠受信について説明したが、ユーザ端末２ｂ，２ｃも同様に間欠受信を行う。
【００２５】
図３は、間欠受信のスリープ時間の例を説明する図である。ＤＲＸ機能またはｅＤＲＸ機能を適用したユーザ端末２ａ〜２ｃは、例えば、図３に示すように、「Ｎｏｎ−ＤＲＸ状態」、「ＤＲＸ状態」、または「ｅＤＲＸ状態」をとることができる。
【００２６】
ユーザ端末２ａ〜２ｃは、「Ｎｏｎ−ＤＲＸ状態」のとき、スリープ状態に遷移しない。すなわち、ユーザ端末２ａ〜２ｃは、「Ｎｏｎ−ＤＲＸ状態」のとき、無線機能をオフしない。ユーザ端末２ａ〜２ｃは、例えば、１ｍｓおきに、無線基地局１から信号を受信する。
【００２７】
ユーザ端末２ａ〜２ｃは、「ＤＲＸ状態」のとき、３２０ｍｓ〜５１２０ｍｓのＤＲＸ周期を設定することができる。ＤＲＸ周期は、上位装置から指定される。
【００２８】
Ｃａｔ．１のユーザ端末２ａ〜２ｃは、「ｅＤＲＸ状態」のとき、１０．２４ｓ〜４３．６９ｍｉｎのｅＤＲＸ周期を設定することができる。ｅＤＲＸ周期は、上位装置から指定される。
【００２９】
Ｃａｔ．ＭまたはＮＢ（Narrow Band）−ＩｏＴのユーザ端末２ａ〜２ｃは、「ｅＤＲＸ状態」のとき、１０．２４ｓ〜１７４．７６ｍｉｎのｅＤＲＸ周期を設定することができる。ｅＤＲＸ周期は、上位装置から指定される。
【００３０】
上記したように、無線基地局１およびユーザ端末２ａ〜２ｃは、ＳＦＮが同期していることにより、無線通信を行うことができる。従って、ユーザ端末２ａ〜２ｃは、無線基地局１とＳＦＮが同期していないと、Ｐａｇｉｎｇメッセージを受信できなくなる。なお、例えば、無線基地局１が保守等によって再起動し、ＳＦＮを再設定（例えば、リセット等）したときに、無線基地局１およびユーザ端末２ａ〜２ｃのＳＦＮの同期がずれる場合がある。
【００３１】
図４は、ユーザ端末２ａのＰａｇｉｎｇメッセージの受信の例を説明する図である。図４（ａ）に示す上側のＳＦＮは、無線基地局１のＳＦＮを示し、下側のＳＦＮは、ユーザ端末２ａのＳＦＮを示している。図４（ｂ）〜（ｄ）のそれぞれにおいても同様に、上側のＳＦＮは、無線基地局１のＳＦＮを示し、下側のＳＦＮは、ユーザ端末２ａのＳＦＮを示している。
【００３２】
図４（ａ）は、ユーザ端末２ａがＰａｇｉｎｇメッセージを受信できない例を示している。図４（ａ）では、ユーザ端末２ａは、「ＳＦＮ１」と「ＳＦＮ５」とにおいて、Ｐａｇｉｎｇメッセージを受信するよう、上位装置から指定されているとする。
【００３３】
無線基地局１は、「ＳＦＮ１」の後のタイミングで、例えば、保守のために電波出力を停止したとする。そして、無線基地局１は、保守の終了によって、電波出力を再開し、ＳＦＮを「ＳＦＮ０」に再設定したとする。
【００３４】
この場合、無線基地局１およびユーザ端末２ａのＳＦＮの同期は、無線基地局１の電波出力再開後にずれる。このため、ユーザ端末２ａは、無線基地局１が電波出力を再開した後、Ｐａｇｉｎｇメッセージを受信することができない。
【００３５】
例えば、ユーザ端末２ａは、「ＳＦＮ５」でスリープ状態を解除する。しかし、ユーザ端末２ａがスリープ状態を解除したとき、無線基地局１のＳＦＮは「ＳＦＮ０」であり、無線基地局１からはＰａｇｉｎｇメッセージが送信されない。このため、ユーザ端末２ａは、Ｐａｇｉｎｇメッセージを受信できない。
【００３６】
また、無線基地局１は、電波出力再開後の「ＳＦＮ１」でＰａｇｉｎｇメッセージを送信する。しかし、ユーザ端末２ａのＳＦＮは、「ＳＦＮ６」であり、スリープ状態にあるため、Ｐａｇｉｎｇメッセージを受信できない。
【００３７】
図４（ｂ）は、ユーザ端末２ａがＰａｇｉｎｇメッセージを受信できる例を示している。図４（ｂ）では、ユーザ端末２ａは、「ＳＦＮ３」において、Ｐａｇｉｎｇメッセージを受信するように指定されているとする。
【００３８】
無線基地局１は、「ＳＦＮ１」の後のタイミングで、例えば、保守のために電波出力を停止したとする。そして、無線基地局１は、保守の終了によって、電波出力を再開し、ＳＦＮを「ＳＦＮ０」から再開したとする。また、ユーザ端末２ａは、無線基地局１の電波出力停止中に、スリープ状態を解除（ＳＦＮ３）したとする。
【００３９】
この場合、ユーザ端末２ａは、スリープ状態を解除したとき、無線基地局１から電波が出力されていないので圏外判定をし、セルの再選択処理を開始する。そして、ユーザ端末２ａは、セルの再選択処理において、無線基地局１のＳＦＮを取得する。
【００４０】
このように、無線基地局１が電波出力を停止し、電波出力再開後にＳＦＮを再設定しても、ユーザ端末２ａは、電波出力停止中にスリープ状態を解除すれば、無線基地局１の再設定後のＳＦＮを取得できる。これにより、ユーザ端末２ａは、Ｐａｇｉｎｇメッセージを受信できる。
【００４１】
図４（ｃ）は、ユーザ端末２ａがＰａｇｉｎｇメッセージを受信できる例を示している。図４（ｃ）では、ユーザ端末２ａは、「ＳＦＮ１」と「ＳＦＮ５」とにおいて、Ｐａｇｉｎｇメッセージを受信するよう、上位装置から指定されているとする。
【００４２】
無線基地局１は、「ＳＦＮ１」の後のタイミングで、例えば、保守のために電波出力を停止したとする。そして、無線基地局１は、保守の終了によって、電波出力を再開し、ＳＦＮを「ＳＦＮ０」から再開したとする。
【００４３】
図４（ｃ）では、電波出力再開後の無線基地局１のＳＦＮと、ユーザ端末２ａのＳＦＮとの切り替わるタイミングがずれているとする。例えば、電波出力再開後の無線基地局１の「ＳＦＮ０」の始点と、ユーザ端末２ａの「ＳＦＮ５」の始点は、図４（ｃ）に示すようにずれている。
【００４４】
この場合、ユーザ端末２ａは、無線基地局１の電波出力再開後にスリープ状態を解除するが（ＳＦＮ５）、ＳＦＮの始点のずれにより無線基地局１からの電波受信電力が低く、圏外判定をし、セルの再選択処理を開始する。そして、ユーザ端末２ａは、セルの再選択処理において、無線基地局１のＳＦＮを取得する。
【００４５】
このように、無線基地局１が電波出力を停止し、電波出力再開後にＳＦＮを再設定しても、ＳＦＮの始点のタイミングがずれていれば、ユーザ端末２ａは、無線基地局１の再設定後のＳＦＮを取得できる。これにより、ユーザ端末２ａは、Ｐａｇｉｎｇメッセージを受信できる。
【００４６】
以上より、ユーザ端末２ａは、次の条件が揃ったとき、Ｐａｇｉｎｇメッセージを受信できなくなる場合が生じる。
１．ユーザ端末２ａのスリープ中に無線基地局１が電波出力を停止していること。
２．電波出力再開後、無線基地局１およびユーザ端末２ａのＳＦＮの切り替えタイミングが一致し、ＳＦＮが異なっていること。
【００４７】
図４（ｄ）には、ユーザ端末２ａがＰａｇｉｎｇメッセージを受信できなくなる条件を満たすＳＦＮのタイミングの例が示されている。図４（ｄ）では、ユーザ端末２ａのスリープ中に、無線基地局１が電波出力を停止している。また、無線基地局１の電波出力再開後、無線基地局１およびユーザ端末２ａのＳＦＮの先頭タイミングが一致している（ＳＦＮの切替わるタイミングが一致している）。さらに、無線基地局１の電波出力再開後、無線基地局１およびユーザ端末２ａのＳＦＮは、異なっている。
【００４８】
このような場合、ユーザ端末２ａは、図４（ｂ），（ｃ）で説明したようなセルの再選択処理によるＳＦＮの再取得を行なわない。このため、電波出力再開後の無線基地局１およびユーザ端末２ａのＳＦＮは、異なったままであり、ユーザ端末２ａは、Ｐａｇｉｎｇメッセージを受信できない。
【００４９】
ユーザ端末２ａは、ＳＦＮの非同期により、Ｐａｇｉｎｇメッセージが受信できなくなっても、保持（記憶）しているＳｙｓｔｅｍＩｎｆｏｍａｔｉｏｎ（以下、ＳＩと呼ぶことがある）によって、Ｐａｇｉｎｇメッセージを受信できるようになる。例えば、ユーザ端末２ａは、保持しているＳＩの有効期限が切れたとき、ＳＦＮを再取得するため、Ｐａｇｉｎｇメッセージを受信できるようになる。
【００５０】
しかし、ＳＩの有効期限は長く、ユーザ端末２ａは、Ｐａｇｉｎｇメッセージの受信を再開できるようになるまでに時間がかかる。例えば、ＤＲＸを適用したユーザ端末２ａのＳＩの有効期限は、３時間である。Ｃａｔ．１のｅＤＲＸを適用したユーザ端末２ａのＳＩの有効期限は、３時間である。Ｃａｔ．ＭまたはＮＢ−ＩｏＴのｅＤＲＸを適用したユーザ端末２ａのＳＩの有効期限は、２４時間である。
【００５１】
そこで、無線基地局１は、ＳＦＮを再設定した場合、ユーザ端末２ａ〜２ｃに早期にＳＦＮを再取得させ、ユーザ端末２ａ〜２ｃが早期にＰａｇｉｎｇメッセージを受信できるようにする。
【００５２】
また、次世代通信システム（例えば、５Ｇ等）では、スマートメータまたは測定機器等によるＭＴＣも増加することが予想され、大容量通信の実現が見込まれている。そこで、無線基地局１は、無線リソースの消費を抑制するように、ユーザ端末２ａ〜２ｃに早期にＳＦＮを再取得させる。
【００５３】
図５は、無線基地局１の機能ブロック例を示した図である。図５に示すように、無線基地局１は、Ｉ／Ｆ部１１と、信号処理部１２と、無線部１３と、生成部１４と、を有している。
【００５４】
Ｉ／Ｆ部１１は、コアネットワーク３に含まれている上位装置と通信を行う。例えば、Ｉ／Ｆ部１１は、上位装置からデータを受信し、信号処理部１２に出力する。また、Ｉ／Ｆ部１１は、信号処理部１２から出力されるデータを上位装置に送信する。Ｉ／Ｆ部１１は、例えば、物理レイヤまたはＭＡＣ（Medium Access Control）レイヤより上位のレイヤに関する処理などを行う。
【００５５】
信号処理部１２は、信号のベースバンド処理を行う。例えば、信号処理部１２は、Ｉ／Ｆ部１１から出力されるデータ（信号）の符号化、変調、スケジューリング、プリコーディング、およびマッピング等の処理を行う。信号処理部１２は、ベースバンド処理した信号（無線フレーム）を無線部１３に出力する。
【００５６】
また、信号処理部１２は、無線部１３から出力される信号のデマッピング、チャネル推定、プリフィルタリング、復調、および復号化等の処理を行う。信号処理部１２は、復号化した信号（データ）を、Ｉ／Ｆ部１１に出力する。
【００５７】
信号処理部１２は、後述する生成部１４が生成するＰａｇｉｎｇメッセージを無線フレームに含める。信号処理部１２は、以下で詳述するが、ＳＦＮを再設定した場合、所定時間、Ｐａｇｉｎｇメッセージを無線フレームに含める。また、信号処理部１２は、ＳＦＮを再設定する場合、ＳＦＮを再設定することを生成部１４に通知する。
【００５８】
無線部１３は、信号処理部１２から出力される信号の無線送信処理を行う。例えば、無線部１３は、信号処理部１２から出力される信号のＤ／Ａ変換、アップコンバート、および信号増幅等の無線送信処理を行う。無線送信処理された信号は、アンテナ（図示せず）を介して、ユーザ端末２ａ〜２ｃに送信される。
【００５９】
また、無線部１３は、アンテナを介して受信したユーザ端末２ａ〜２ｃの信号に対し、無線受信処理を行う。例えば、無線部１３は、アンテナによって受信されたユーザ端末２ａ〜２ｃの信号に対し、信号増幅、ダウンコンバート、およびＡ／Ｄ変換等の無線受信処理を行う。無線部１３は、無線受信処理した信号を、信号処理部１２に出力する。
【００６０】
生成部１４は、信号処理部１２から、無線フレームのＳＦＮの再設定をする通知を受けた場合、ＳＦＮを含む報知情報の取得を指示するＰａｇｉｎｇメッセージを生成する。例えば、生成部１４は、ＳＦＮを含むＭＩＢ（Master Information Block）またはＳＩＢ（System Information Block）の取得を指示するＳｙｓｔｅｍＩｎｆｏＭｏｄｉｆｉｃａｔｉｏｎ（以下、ＳＩＭと呼ぶことがある）を生成し、ＳＩＭを含むＰａｇｉｎｇメッセージを生成する。生成部１４は、生成したＰａｇｉｎｇメッセージを、信号処理部１２に出力する。
【００６１】
なお、報知情報には、ＨＳＦＮも含まれる場合がある。また、ユーザ端末２ａ〜２ｃがｅＤＲＸを適用する端末の場合、生成部１４は、ＳｙｓｔｅｍＩｎｆｏＭｏｄｉｆｉｃａｔｉｏｎ−ｅＤＲＸ（以下、ＳＩＭ−ｅＤＲＸと呼ぶことがある）を生成し、ＳＩＭ−ｅＤＲＸを含むＰａｇｉｎｇメッセージを生成する。
【００６２】
図６は、ユーザ端末２ａの機能ブロック例を示した図である。図６に示すように、ユーザ端末２ａは、無線部２１と、信号処理部２２と、制御部２３と、を有している。なお、ユーザ端末２ｂ，２ｃは、ユーザ端末２ａと同様のブロックを有するのでその説明を省略する。
【００６３】
無線部２１は、アンテナ（図示せず）を介して受信した無線基地局１の信号に対し、無線受信処理を行う。例えば、無線部２１は、アンテナによって受信された無線基地局１の信号に対し、信号増幅、ダウンコンバート、およびＡ／Ｄ変換等の無線受信処理を行う。無線部２１は、無線受信処理した信号を、信号処理部２２に出力する。
【００６４】
また、無線部２１は、信号処理部２２から出力される信号のＤ／Ａ変換、アップコンバート、および信号増幅等の無線送信処理を行う。無線送信処理された信号は、アンテナを介して、無線基地局１に送信される。
【００６５】
信号処理部２２は、信号のベースバンド処理を行う。例えば、信号処理部２２は、無線部２１から出力される信号のデマッピング、復調、チャネル推定、および復号化等の処理を行う。信号処理部２２は、復号化した信号（データ）を、アプリケーション部（図示せず）に出力する。
【００６６】
また、信号処理部２２は、アプリケーション部から出力されるデータの符号化、変調、およびマッピング等の処理を行う。信号処理部２２は、ベースバンド処理した信号（無線フレーム）を無線部２１に出力する。
【００６７】
制御部２３は、無線部２１および信号処理部２２に供給される電力のオン／オフ制御を行う。例えば、制御部２３は、上位装置から指定されたＳＦＮにおいて、無線部２１および信号処理部２２への電力供給をオンする（スリープ状態を解除する）。一方、制御部２３は、上位装置から指定されたＳＦＮ以外のＳＦＮにおいて、無線部２１および信号処理部２２への電力供給をオフする（スリープ状態にする）。
【００６８】
図７は、ＳＦＮおよびＨＳＦＮの再同期処理の例を説明する図である。図７には、無線基地局１のＳＦＮと、ｅＤＲＸを適用したユーザ端末２ａのＳＦＮとが示されている。ユーザ端末２ａは、「ＳＦＮ２〜ＳＦＮ４」において、Ｐａｇｉｎｇメッセージを受信するよう、上位装置から指定されているとする。以下では、ユーザ端末２ａについて説明するが、ユーザ端末２ｂ，２ｃについても同様である。
【００６９】
無線基地局１の無線部１３は、例えば、保守のために電波出力を停止し、その後、保守の終了によって、電波出力を再開したとする。この場合、信号処理部１２は、図７の矢印Ａ１に示すように、電波出力再開後、ＳＦＮおよびＨＳＦＮ（ＨＳＦＮは図示せず）を再設定し、例えば、「ＳＦＮ０」からＳＦＮを開始する。
【００７０】
生成部１４は、ＳＦＮおよびＨＳＦＮが再設定されることにより、ＳＦＮおよびＨＳＦＮを含む報知情報の取得を指示するＳＩＭ−ｅＤＲＸを生成し、ＳＩＭ−ｅＤＲＸ含むＰａｇｉｎｇメッセージを生成する。信号処理部１２は、生成部１４が生成したＰａｇｉｎｇメッセージを、各無線フレームに含め、所定時間、ユーザ端末２ａに送信する。例えば、信号処理部１２は、図７の矢印群Ａ２に示すように、各ＳＦＮにおいて、生成部１４が生成したＰａｇｉｎｇメッセージを所定時間、ユーザ端末２ａに送信する。
【００７１】
電波出力再開後、信号処理部１２がＰａｇｉｎｇメッセージをユーザ端末２ａに送信する所定時間は、ユーザ端末２ａに設定され得るｅＤＲＸ周期の、最も長い周期の時間である。例えば、図７に示す「最大ｅＤＲＸ周期」は、ユーザ端末２ａに設定され得るｅＤＲＸ周期の、最も長い周期の時間を示している。信号処理部１２は、図７に示す「最大ｅＤＲＸ周期」の間、ＳＩＭ−ｅＤＲＸ含むＰａｇｉｎｇメッセージを、各ＳＦＮにおいてユーザ端末２ａに送信する。
【００７２】
例えば、ユーザ端末２ａがＣａｔ．１のｅＤＲＸ端末の場合、ユーザ端末２ａに設定され得る最大ｅＤＲＸ周期は、４３．６９ｍｉｎ（図３を参照）である。この場合、信号処理部１２は、電波出力再開後、４３．６９ｍｉｎの間、ＳＩＭ−ｅＤＲＸ含むＰａｇｉｎｇメッセージを、各ＳＦＮにおいてユーザ端末２ａに送信する。
【００７３】
また、ユーザ端末２ａがＣａｔ．ＭまたはＮＢ−ＩｏＴのｅＤＲＸ端末の場合、ユーザ端末２ａに設定され得る最大ｅＤＲＸ周期は、１７４．７６ｍｉｎ（図３を参照）である。この場合、信号処理部１２は、電波出力再開後、１７４．７６ｍｉｎの間、ＳＩＭ−ｅＤＲＸ含むＰａｇｉｎｇメッセージを、各ＳＦＮにおいてユーザ端末２ａに送信する。
【００７４】
このように、無線基地局１は、矢印群Ａ２に示すように、電波出力再開後、各ＳＦＮにおいて、ＳＩＭ−ｅＤＲＸ含むＰａｇｉｎｇメッセージをユーザ端末２ａに送信する。従って、ユーザ端末２ａは、スリープ状態を解除したとき、ＳＩＭ−ｅＤＲＸ含むＰａｇｉｎｇメッセージを受信することができる。例えば、ユーザ端末２ａは、図７の矢印Ａ３に示すタイミングで、ＳＩＭ−ｅＤＲＸ含むＰａｇｉｎｇメッセージを受信することができる。
【００７５】
ユーザ端末２ａが受信したＰａｇｉｎｇメッセージのＳＩＭ−ｅＤＲＸは、ＳＦＮおよびＨＳＦＮを含む報知情報を受信するよう指示している。例えば、ＰａｇｉｎｇメッセージのＳＩＭ−ｅＤＲＸは、次の「ＨＳＦＮ  ｍｏｄ  ２５６＝０」のタイミング（eDRX acquisition periodの始点）で、ＳＦＮおよびＨＳＦＮを含む報知情報を受信するよう指示している。これにより、ユーザ端末２ａは、ＳＩＭ−ｅＤＲＸを含むＰａｇｉｎｇメッセージの受信後、「ＨＳＦＮ０」、「ＨＳＦＮ２５６」、「ＨＳＦＮ５１２」、および「ＨＳＦＮ７６８」のいずれかの最初のタイミングで、ＳＦＮおよびＨＳＦＮを含む報知情報を受信する。
【００７６】
図７に示すタイミングＡ４は、ユーザ端末２ａのＰａｇｉｎｇメッセージ受信後の、最初の「ＨＳＦＮ  ｍｏｄ  ２５６＝０」のタイミングを示している。ユーザ端末２ａの無線部２１は、タイミングＡ４において、スリープ状態を解除し、報知情報を受信する。なお、ユーザ端末２ａがスリープ状態を解除して報知情報を受信するまでの最長時間は、４３．６９ｍｉｎとなる。
【００７７】
ユーザ端末２ａの信号処理部２２は、無線基地局１から、ＳＦＮおよびＨＳＦＮを含む報知情報を受信すると、自身のＳＦＮおよびＨＳＦＮを、受信したＳＦＮおよびＨＳＦＮに同期させる。なお、ユーザ端末２ａの無線部２２は、ＳＦＮおよびＨＳＦＮの同期後、スリープ状態に戻る。
【００７８】
ユーザ端末２ａは、ＳＦＮおよびＨＳＦＮを同期させた後、Ｐａｇｉｎｇメッセージを適切に受信することができる。例えば、図７のタイミングＡ４以後では、無線基地局１およびユーザ端末２ａのＳＦＮおよびＨＳＦＮは同期している。従って、ユーザ端末２ａは、図７の矢印Ａ５に示すように、無線基地局１からＰａｇｉｎｇメッセージを適切に受信することができる。
【００７９】
ユーザ端末２ａは、無線基地局１が電波出力を再開した後、少なくとも最大ｅＤＲＸ周期の時間内にＳＩＭ−ｅＤＲＸのＰａｇｉｎｇメッセージを受信する。そして、ユーザ端末２ａは、Ｐａｇｉｎｇメッセージを受信した後、「ＨＳＦＮ  ｍｏｄ  ２５６＝０」のタイミングで報知情報を受信する。これにより、ユーザ端末２ａは、早期にＳＦＮおよびＨＳＦＮを取得することができる。
【００８０】
例えば、Ｃａｔ．１のｅＤＲＸを適用したユーザ端末２ａは、無線基地局１が電波出力を再開した後、少なくとも「４３．９６ｍｉｎ」内に（図３を参照）、ＳＩＭ−ｅＤＲＸのＰａｇｉｎｇメッセージを受信する。そして、ユーザ端末２ａは、Ｐａｇｉｎｇメッセージ受信後、「ＨＳＦＮ  ｍｏｄ  ２５６＝０」のタイミング（最長４３．６９ｍｉｎ）で、報知情報を受信する。
【００８１】
また、Ｃａｔ．ＭまたはＮＢ−ＩｏＴのｅＤＲＸを適用したユーザ端末２ａは、無線基地局１が電波出力を再開した後、少なくとも「１７４．７６ｍｉｎ」内に（図３を参照）、ＳＩＭ−ｅＤＲＸのＰａｇｉｎｇメッセージを受信する。そして、ユーザ端末２ａは、Ｐａｇｉｎｇメッセージ受信後、「ＨＳＦＮ  ｍｏｄ  ２５６＝０」のタイミング（最長４３．６９ｍｉｎ）で、報知情報を受信する。このように、ユーザ端末２ａは、早期にＳＦＮおよびＨＳＦＮを取得することができる。
【００８２】
以上説明したように、無線基地局１の信号処理部１２は、無線フレームを生成し、無線部１３は、生成された無線フレームを無線通信によってユーザ端末２ａ〜２ｃに送信する。生成部１４は、ＳＩＭ−ｅＤＲＸを含むＰａｇｉｎｇメッセージを生成する。信号処理部１２は、ＳＦＮおよびＨＳＦＮを再設定した場合、再設定後所定時間、生成部１４が生成したＰａｇｉｎｇメッセージを各無線フレームに含める。これにより、無線基地局１は、ＳＦＮおよびＨＳＦＮを再設定した場合、ユーザ端末２ａ〜２ｃに早期にＳＦＮおよびＨＳＦＮを再取得させることができる。
【００８３】
また、無線基地局１は、ＳＦＮおよびＨＳＦＮを再設定した場合、再設定後所定時間、ＳＩＭ−ｅＤＲＸを含むＰａｇｉｎｇメッセージを送信し、その後、ＳＩＭ−ｅＤＲＸを含むＰａｇｉｎｇメッセージをユーザ端末２ａ〜２ｃに送信しない。これにより、無線基地局１は、ＳＩＭ−ｅＤＲＸを含むＰａｇｉｎｇメッセージによる無線リソースの消費を抑制できる。
【００８４】
［変形例１］
上記では、無線基地局１の信号処理部１２は、電波出力再開後、ユーザ端末２ａに設定され得るｅＤＲＸ周期の、最も長い周期の時間、ＳＩＭ−ｅＤＲｘを含むＰａｇｉｎｇメッセージを送信した。しかし、信号処理部１２は、在圏するユーザ端末２ａ〜２ｃに設定されているｅＤＲＸ周期のうちの、最も長い周期の時間、Ｐａｇｉｎｇメッセージをユーザ端末２ａ〜２ｃに送信してもよい。
【００８５】
例えば、ユーザ端末２ａに設定されているｅＤＲＸ周期を「Ｔ１」、ユーザ端末２ｂに設定されているｅＤＲＸ周期を「Ｔ２」、ユーザ端末２ｃに設定されているｅＤＲＸ周期を「Ｔ３」とする。また、「Ｔ１＜Ｔ２＜Ｔ３」とする。
【００８６】
この場合、信号処理部１２は、在圏するユーザ端末２ａ〜２ｃに設定されているｅＤＲＸ周期のうちの、最も長い周期の時間として「Ｔ３」を取得する。そして、信号処理部１２は、電波出力が再開された後、時間Ｔ３の間、ＳＩＭ−ｅＤＲｘを含むＰａｇｉｎｇメッセージを、各ＳＦＮにおいてユーザ端末２ａ〜２ｃに送信する。
【００８７】
これにより、無線基地局１は、ユーザ端末２ａ〜２ｃに早期にＳＦＮおよびＨＳＦＮを再取得させることができる。また、無線基地局１は、ＳＩＭ−ｅＤＲＸを含むＰａｇｉｎｇメッセージによる無線リソースの消費を抑制できる。
【００８８】
なお、信号処理部１２は、上位装置から受信したＳ１Ｐａｇｉｎｇメッセージに含まれる次のＩＥ（Information Element）の最大値を判定し、記憶装置に記憶しておいてもよい。
【００８９】
・Ｐａｇｉｎｇ  ｅＤＲＸ  Ｃｙｃｌｅ
上記ＩＥは、Ｐａｇｉｎｇメッセージを送信するｅＤＲＸ周期を示している。これにより、信号処理部１２は、「Ｐａｇｉｎｇ  ｅＤＲＸ  Ｃｙｃｌｅ」の最大値を記憶した記憶装置を参照することにより、在圏するユーザ端末２ａ〜２ｃに設定されているｅＤＲＸ周期のうちの、最も長い周期の時間を取得できる。
【００９０】
なお、無線基地局１の運用中に、ｅＤＲＸ周期が最も長いユーザ端末２ａ〜２ｃに対して、上記ＩＥのＰａｇｉｎｇメッセージが一度も送信されていない場合、ｅＤＲＸ周期が最も長いユーザ端末２ａ〜２ｃのｅＤＲＸ周期が、記憶装置に記憶されない場合が生じる。このため、ｅＤＲＸ周期が最も長いユーザ端末２ａ〜２ｃに対して、ＳＩＭ−ｅＤＲｘを含むＰａｇｉｎｇメッセージの送信時間が不十分となり、ＳＩＭ−ｅＤＲＸを含むＰａｇｉｎｇメッセージが受信されない可能性がある。この場合、ｅＤＲＸ周期が最も長いユーザ端末２ａ〜２ｃは、ＳＩの有効期限に基づいて、ＳＦＮおよびＨＳＦＮの同期をとることになるが（ＳＦＮおよびＨＳＦＮの同期に時間がかかるが）、無線基地局１の運用中に、１度もＰａｇｉｎｇメッセージが送信されていないユーザ端末２ａ〜２ｃであるため、サービス影響は軽微となる。
【００９１】
また、無線基地局１は、在圏するユーザ端末２ａ〜２ｃに設定されているｅＤＲＸ周期のうちの、最も長い周期の時間を、ｅＤＲＸ周期を管理する上位装置（例えば、ＭＭＥ）から受信し、記憶装置に記憶してもよい。また、運用者が、無線基地局１の記憶装置に、在圏するユーザ端末２ａ〜２ｃに設定されているｅＤＲＸ周期のうちの、最も長い周期の時間を記憶してもよい。
【００９２】
［変形例２］
変形例２では、無線基地局１の信号処理部１２は、まず変形例１と同様に、在圏するユーザ端末２ａ〜２ｃに設定されているｅＤＲＸ周期のうちの、最も長い周期の時間を取得する。そして、信号処理部１２は、取得したｅＤＲＸ周期と、電波停止時間との差の時間、ＳＩＭ−ｅＤＲｘを含むＰａｇｉｎｇメッセージを送信する。
【００９３】
例えば、信号処理部１２は、取得した最も長いｅＤＲＸ周期から、無線部１３が電波出力を停止した時間を減算する。そして、信号処理部１２は、減算して得た時間、ＳＩＭ−ｅＤＲｘを含むＰａｇｉｎｇメッセージをユーザ端末２ａ〜２ｃに送信する。
【００９４】
これによっても、無線基地局１は、ユーザ端末２ａ〜２ｃに早期にＳＦＮおよびＨＳＦＮを再取得させることができる。また、無線基地局１は、ＳＩＭ−ｅＤＲＸを含むＰａｇｉｎｇメッセージによる無線リソースの消費を抑制できる。
【００９５】
［変形例３］
図７および変形例１，２では、ｅＤＲＸの場合を例に説明したが、ＤＲＸの場合も同様である。ただし、ＤＲＸの場合、生成部１４は、ＳＩＭを含むＰａｇｉｎｇメッセージを生成する。そして、信号処理部１２は、生成されたＰａｇｉｎｇメッセージを、各ＳＦＮにおいて、所定時間送信する。
【００９６】
ユーザ端末２ａは、無線基地局１からＳＩＭを含むＰａｇｉｎｇメッセージを受信すると、次の「ＳＦＮ０」のタイミングで、ＳＦＮを含む報知情報を受信する。電波出力再開後、ユーザ端末２ａがＳＦＮを含む報知情報を受信するまでの最長時間は、「１０．２４ｓ」となる。また、無線基地局１のＳＩＭを含むＰａｇｉｎｇメッセージを送信する送信時間は、「５１２０ｍｓ」となる（図３を参照）。
【００９７】
また、変形例１では、信号処理部１２は、「Ｐａｇｉｎｇ  ｅＤＲＸ  Ｃｙｃｌｅ」の最大値を判定したが、ＤＲＸの場合「Ｐａｇｉｎｇ  ＤＲＸ」の最大値を判定する。
【００９８】
［変形例４］
無線基地局１の配下には、ＤＲＸを適用したユーザ端末とｅＤＲＸを適用したユーザ端末とが在圏する場合もある。以下、この場合の無線基地局１の動作例について説明する。
【００９９】
図８は、ＤＲＸを適用したユーザ端末とｅＤＲＸを適用したユーザ端末とが在圏する場合の無線基地局１の動作例を示したフローチャートである。無線基地局１は、例えば、電波出力停止中に下記の処理を実行する。
【０１００】
まず、生成部１４は、ＳＩＭを生成する（ステップＳ１）。
【０１０１】
次に、生成部１４は、ＰａｇｉｎｇメッセージのＩＥに、ステップＳ１にて生成したＳＩＭを設定する（ステップＳ２）。
【０１０２】
次に、信号処理部１２は、ＳＩＭの送信時間を判定する（ステップＳ３）。なお、ＳＩＭの送信時間は、上記したように、電波出力再開後、ＤＲＸ周期の最大時間（５１２０ｍｓ）であってもよいし、在圏するＤＲＸユーザ端末に設定されているＤＲＸ周期のうちの、最も長い周期の時間であってもよい。また、ＳＩＭの送信時間は、在圏するＤＲＸユーザ端末に設定されているＤＲＸ周期のうちの、最も長い周期の時間と、電波停止時間との差であってもよい。
【０１０３】
次に、信号処理部１２は、ｅＤＲＸのサービス中であるか否かを判定する（ステップＳ４）。信号処理部１２は、ｅＤＲＸのサービス中でない場合（Ｎｏ）、当該フローチャートの処理を終了する。
【０１０４】
生成部１４は、信号処理部１２のステップＳ４の判定によって、ｅＤＲＸのサービス中であると判定された場合（Ｙｅｓ）、ＳＩＭ−ｅＤＲＸを生成する（ステップＳ５）。
【０１０５】
次に、生成部１４は、ＰａｇｉｎｇメッセージのＩＥに、ステップＳ５にて生成したＳＩＭ−ｅＤＲＸを設定する（ステップＳ６）。
【０１０６】
次に、信号処理部１２は、ＳＩＭ−ｅＤＲＸの送信時間を判定する（ステップＳ７）。そして、信号処理部１２は、当該フローチャートの処理を終了する。なお、ＳＩＭ−ｅＤＲＸの送信時間は、上記したように、電波出力再開後、ｅＤＲＸ周期の最大時間（Ｃａｔ．１のｅＤＲＸの場合「４３．６９ｍｉｎ」、Ｃａｔ．ＭまたはＮＢ−ＩｏＴの場合「１７４．７６ｍｉｎ」）であってもよいし、在圏するｅＤＲＸユーザ端末に設定されているｅＤＲＸ周期のうちの、最も長い周期の時間であってもよい。また、ＳＩＭの送信時間は、在圏するｅＤＲＸユーザ端末に設定されているｅＤＲＸ周期のうちの、最も長い周期の時間と、電波停止時間との差であってもよい。
【０１０７】
なお、信号処理部１２は、電波出力が再開された後、ステップＳ２，Ｓ６にて生成されたＰａｇｉｎｇメッセージを、各ＳＦＮの無線フレームに含める。その際、信号処理部１２は、ステップＳ３，Ｓ７で判定した送信時間、各ＳＦＮの無線フレームにＰａｇｉｎｇメッセージを含める。
【０１０８】
［実施の形態２］
無線基地局１が、「ＨＳＦＮ  ｍｏｄ  ２５６＝０」を跨いでＳＩＭ−ｅＤＲＸを含むＰａｇｉｎｇメッセージを送信している場合、ユーザ端末２ａ〜２ｃは、１回でよいＳＦＮおよびＨＳＦＮの取得（受信）を２回行う場合があり、電力を消費してしまう。実施の形態２では、ユーザ端末２ａ〜２ｃのＳＦＮおよびＨＳＦＮの取得を１回にし、電力消費を抑制する。以下では、実施の形態１と異なる部分について説明する。
【０１０９】
図９は、ユーザ端末がＳＦＮを２回取得する例について説明する図である。図９には、無線基地局のＨＳＦＮと、Ｃａｔ．１のｅＤＲＸを適用したユーザ端末のＨＳＦＮとが示されている。
【０１１０】
図９に示す斜線部Ａ１１は、無線基地局がＳＦＮ（ＳＦＮは図示せず）およびＨＳＦＮを再設定したときのタイミングを示している。無線基地局は、ＳＦＮおよびＨＳＦＮの再設定後、両矢印Ａ１２に示す所定時間の間、ＳＩＭ−ｅＤＲＸを含むＰａｇｉｎｇメッセージをユーザ端末に送信する。ユーザ端末は、矢印Ａ１３，Ａ１５に示すタイミングで、無線基地局から、ＳＩＭ−ｅＤＲＸを含むＰａｇｉｎｇメッセージを受信する。
【０１１１】
ユーザ端末は、矢印Ａ１３に示すタイミングでの、ＳＩＭ−ｅＤＲＸを含むＰａｇｉｎｇメッセージの受信により、次の「ＨＳＦＮ  ｍｏｄ  ２５６＝０」において、ＳＦＮおよびＨＳＦＮを含む報知情報を取得する。例えば、ユーザ端末は、図９に示すタイミングＡ１４において、ＳＦＮおよびＨＳＦＮを含む報知情報を取得する。
【０１１２】
また、ユーザ端末は、矢印Ａ１５に示すタイミングでの、ＳＩＭ−ｅＤＲＸを含むＰａｇｉｎｇメッセージの受信により、次の「ＨＳＦＮ  ｍｏｄ  ２５６＝０」において、ＳＦＮおよびＨＳＦＮを含む報知情報を取得する。例えば、ユーザ端末は、図９に示すタイミングＡ１６において、ＳＦＮおよびＨＳＦＮを含む報知情報を取得する。
【０１１３】
このように、無線基地局１のＳＩＭ−ｅＤＲＸを含むＰａｇｉｎｇメッセージの送信が、「ＨＳＦＮ  ｍｏｄ  ２５６＝０」を跨ぐ場合、ユーザ端末は、ＳＦＮおよびＨＳＦＮの取得を２回行う場合がある。
【０１１４】
そこで、無線基地局１は、ＳＩＭ−ｅＤＲＸを含むＰａｇｉｎｇメッセージの送信時間を、実施の形態１で説明した送信時間とするが、「ＨＳＦＮ  ｍｏｄ  ２５６＝０」の１つ手前のＨＳＦＮを迎えた場合、その時点でＰａｇｉｎｇメッセージの送信を停止する。
【０１１５】
図１０は、実施の形態２に係るＳＦＮを再同期させる処理例を説明する図である。図１０には、無線基地局１のＨＳＦＮが示されている。図１０に示す斜線部Ａ２１は、無線基地局１の信号処理部１２がＳＦＮおよびＨＳＦＮを再設定するタイミングを示している。
【０１１６】
無線基地局１に在圏するユーザ端末２ａ〜２ｃがＣａｔ．１の場合、信号処理部１２は、ＳＦＮおよびＨＳＦＮの再設定後、４３．６９ｍｉｎの間、ＳＩＭ−ｅＤＲＸを含むＰａｇｉｎｇメッセージをユーザ端末に送信する。ただし、信号処理部１２は、上記したように、「ＨＳＦＮ  ｍｏｄ  ２５６＝０」の１つ手前のＨＳＦＮまで、ＳＩＭ−ｅＤＲＸを含むＰａｇｉｎｇメッセージをユーザ端末に送信する。
【０１１７】
図１０の例では、４３．６９ｍｉｎが経過する前に、ＨＳＦＮが「ＨＳＦＮ２５５」となる。従って、信号処理部１２は、ＳＦＮおよびＨＳＦＮの再設定後、４３．６９ｍｉｎの時間が経過する前に、Ｐａｇｉｎｇメッセージの送信を停止する。
【０１１８】
なお、４３．６９ｍｉｎの時間が経過する前に、Ｐａｇｉｎｇメッセージの送信を停止すると、Ｐａｇｉｎｇメッセージを受信できないユーザ端末２ａ〜２ｃが存在する。この場合、Ｐａｇｉｎｇメッセージを受信できなかったユーザ端末２ａ〜２ｃは、ＳＩの有効期限が切れたときに（例えば、３時間後に）ＳＦＮおよびＨＳＦＮの同期を行うことになる。
【０１１９】
以上説明したように、信号処理部１２は、ＳＦＮおよびＨＳＦＮの再設定後に送信するＳＩＭ−ｅＤＲＸを含むＰａｇｉｎｇメッセージの送信時間を、実施の形態１で説明した送信時間経過前であっても、「ＨＳＦＮ  ｍｏｄ  ２５６＝０」の１つ手前のＨＳＦＮまでとする。これにより、ユーザ端末２ａ〜２ｃは、ＳＦＮおよびＨＳＦＮを含む報知情報の受信を１回にすることができ、消費電力を抑制できる。
【０１２０】
［変形例１］
無線基地局１は、ＳＦＮおよびＨＳＦＮの再設定後、「ＨＳＦＮ  ｍｏｄ  ２５６＝０」のタイミングから、ＳＩＭ−ｅＤＲＸを含むＰａｇｉｎｇメッセージをユーザ端末２ａ〜２ｃに送信してもよい。
【０１２１】
図１１は、ＳＦＮを再同期させる別の処理例を説明する図である。図１１には、無線基地局１のＨＳＦＮが示されている。
【０１２２】
図１１に示す斜線部Ａ３１は、無線基地局１の信号処理部１２がＳＦＮおよびＨＳＦＮを再設定したときのタイミングを示している。信号処理部１２は、ＳＦＮおよびＨＳＦＮの再設定後（ＨＳＦＮ１００に再設定後）、最初に「ＨＳＦＮ  ｍｏｄ  ２５６＝０」となるＨＳＦＮ２５６から、両矢印Ａ３２に示す所定時間、ＳＩＭ−ｅＤＲＸを含むＰａｇｉｎｇメッセージをユーザ端末に送信する。
【０１２３】
このように、信号処理部１２は、ＳＦＮおよびＨＳＦＮの再設定後、最初に「ＨＳＦＮ  ｍｏｄ  ２５６＝０」となるＨＳＦＮ（図１１では、ＨＳＦＮ２５６）から、実施の形態１で説明した送信時間、ＳＩＭ−ｅＤＲＸを含むＰａｇｉｎｇメッセージをユーザ端末に送信してもよい。これによっても、ユーザ端末２ａ〜２ｃは、ＳＦＮおよびＨＳＦＮを含む報知情報の受信を１回にすることができ、消費電力を抑制できる。
【０１２４】
なお、ユーザ端末２ａ〜２ｃは、少なくとも、ＳＩＭ−ｅＤＲＸを含むＰａｇｉｎｇメッセージが無線基地局１から送信が開始されるまでは、ＳＦＮおよびＨＳＦＮを同期させることができない。例えば、ユーザ端末２ａ〜２ｃは、図１１に示す両矢印Ａ３３の間は、ＳＦＮおよびＨＳＦＮを同期させることができない。この時間は、最長で「４３．６９ｍｉｎ」となる。
【０１２５】
［実施の形態３］
実施の形態１では、無線基地局１は、ＳＦＮおよびＨＳＦＮの再設定後において、ＳＩＭ−ｅＤＲＸを含むＰａｇｉｎｇメッセージを所定時間送信した。実施の形態３では、ＳＦＮおよびＨＳＦＮの再設定前において、ＳＩＭ−ｅＤＲＸを含むＰａｇｉｎｇメッセージを所定時間送信する。以下では、実施の形態１と異なる部分について説明する。
【０１２６】
図１２は、実施の形態３に係るＳＦＮを再同期させる処理例を説明する図である。図１２には、無線基地局１のＳＦＮと、ｅＤＲＸを適用したユーザ端末２ａのＳＦＮとが示されている。ユーザ端末２ａは、「ＳＦＮ５〜ＳＦＮ７」において、Ｐａｇｉｎｇメッセージを受信するよう、上位装置から指定されているとする。
【０１２７】
生成部１４は、信号処理部１２が無線フレームのＳＦＮおよびＨＳＦＮ（ＨＳＦＮは図示せず）を再設定する前に、ＳＦＮおよびＨＳＦＮを含む報知情報の取得を指示するＳＩＭ−ｅＤＲＸを生成する。そして、生成部１４は、ＳＩＭ−ｅＤＲＸを含むＰａｇｉｎｇメッセージを生成する。
【０１２８】
信号処理部１２は、ＳＦＮおよびＨＳＦＮを再設定する所定時間前から、生成部１４が生成したＳＩＭ−ｅＤＲＸを含むＰａｇｉｎｇメッセージを無線フレームに含め、ユーザ端末２ａに送信する。
【０１２９】
例えば、無線部１３は、矢印Ａ４１のタイミングから、保守のために電波出力を停止するとする。この場合、信号処理部１２は、矢印Ａ４１に示すタイミングから、図１２に示す最大ｅＤＲＸ周期の前において、生成部１４が生成したＳＩＭ−ｅＤＲＸを含むＰａｇｉｎｇメッセージを無線フレームに含め、ユーザ端末２ａに送信する。
【０１３０】
図１２に示す最大ｅＤＲＸ周期は、ユーザ端末２ａに設定され得るｅＤＲＸ周期の、最も長い周期の時間である。例えば、ユーザ端末２ａがＣａｔ．１のｅＤＲＸ端末の場合、ユーザ端末２ａに設定され得る最大ｅＤＲＸ周期は、４３．６９ｍｉｎ（図３を参照）である。ユーザ端末２ａがＣａｔ．ＭまたはＮＢ−ＩｏＴのｅＤＲＸ端末の場合、ユーザ端末２ａに設定され得る最大ｅＤＲＸ周期は、「１７４．７６ｍｉｎ」（図３を参照）である。
【０１３１】
このように、無線基地局１は、矢印群Ａ４２に示すように、電波出力停止前、各ＳＦＮにおいて、ＳＩＭ−ｅＤＲＸ含むＰａｇｉｎｇメッセージをユーザ端末２ａに送信する。従って、ユーザ端末２ａは、電波出力停止前にスリープ状態を解除したとき、ＳＩＭ−ｅＤＲＸ含むＰａｇｉｎｇメッセージを受信することができる。例えば、ユーザ端末２ａは、図１２の矢印Ａ４３に示すタイミングで、ＳＩＭ−ｅＤＲＸ含むＰａｇｉｎｇメッセージを受信することができる。
【０１３２】
ユーザ端末２ａが受信したＰａｇｉｎｇメッセージのＳＩＭ−ｅＤＲＸは、ＳＦＮおよびＨＳＦＮを含む報知情報を受信するよう指示している。例えば、ＰａｇｉｎｇメッセージのＳＩＭ−ｅＤＲＸは、次の「ＨＳＦＮ  ｍｏｄ  ２５６＝０」のタイミングで、ＳＦＮおよびＨＳＦＮを含む報知情報を受信するよう指示している。これにより、ユーザ端末２ａは、ＳＩＭ−ｅＤＲＸを含むＰａｇｉｎｇメッセージの受信後、「ＨＳＦＮ０」、「ＨＳＦＮ２５６」、「ＨＳＦＮ５１２」、および「ＨＳＦＮ７６８」のいずれかの最初のタイミングで、ＳＦＮおよびＨＳＦＮを含む報知情報を受信する。
【０１３３】
図１２に示すタイミングＡ４４は、ユーザ端末２ａのＰａｇｉｎｇメッセージ受信後の、最初の「ＨＳＦＮ  ｍｏｄ  ２５６＝０」のタイミングを示している。ユーザ端末２ａの無線部２１は、タイミングＡ４４において、スリープ状態を解除し、報知情報を受信する。
【０１３４】
ユーザ端末２ａの信号処理部２２は、無線基地局１から、ＳＦＮおよびＨＳＦＮを含む報知情報を受信すると、自身のＳＦＮおよびＨＳＦＮを、受信したＳＦＮおよびＨＳＦＮに同期させる。なお、ユーザ端末２ａの無線部２２は、ＳＦＮおよびＨＳＦＮの同期後、スリープ状態に戻る。
【０１３５】
ユーザ端末２ａは、ＳＦＮおよびＨＳＦＮを同期させた後、Ｐａｇｉｎｇメッセージを適切に受信することができる。例えば、図１２のタイミングＡ４４以後では、無線基地局１およびユーザ端末２ａのＳＦＮおよびＨＳＦＮは同期している。従って、ユーザ端末２ａは、図１２の矢印Ａ４５に示すように、無線基地局１からＰａｇｉｎｇメッセージを適切に受信することができる。
【０１３６】
このようにして、ユーザ端末２ａは、無線基地局１が電波出力を停止した後でも（ＳＦＮおよびＨＳＦＮを再設定した後でも）、ＳＦＮおよびＨＳＦＮを同期させることができる。また、無線基地局１は、ＳＩＭ−ｅＤＲＸ含むＰａｇｉｎｇメッセージを、電波出力が停止される前の、最大ｅＤＲＸ周期前から送信すればよいので、無線リソースの消費を抑制することができる。
【０１３７】
ユーザ端末２ａが、報知情報を受信する「ＨＳＦＮ  ｍｏｄ  ２５６＝０」のタイミングのとき、無線基地局１は、電波出力を停止している場合がある。この場合でも、ユーザ端末２ａは、無線基地局１とＳＦＮおよびＨＳＦＮを同期させることができる。
【０１３８】
図１３は、ＳＦＮを再同期させる別の処理例を説明する図である。図１３では、ユーザ端末２ａの報知情報を受信するタイミングが、図１２と異なっている。例えば、図１３のタイミングＡ５１に示す、ユーザ端末２ａの報知情報を受信するタイミング（ＨＳＦＮ  ｍｏｄ  ２５６＝０）は、無線基地局１の電波出力停止中と重なっている。
【０１３９】
この場合、ユーザ端末２ａは、報知情報を受信するため、スリープ状態を解除したとき、無線基地局１から電波が出力されていないので圏外判定をし、セルの再選択処理を開始する（図４（ｂ）の状態に相当する）。これにより、ユーザ端末２ａは、セルの再選択処理において、無線基地局１のＳＦＮおよびＨＳＦＮを取得でき、無線基地局１のＳＦＮおよびＨＳＦＮと同期できる。従って、ユーザ端末２ａは、電波出力再開後、スリープ状態を解除したとき、矢印Ａ４５に示すように、無線基地局１からＰａｇｉｎｇメッセージを適切に受信することができる。
【０１４０】
以上説明したように、無線基地局１の信号処理部１２は、ＳＦＮおよびＨＳＦＮを再設定した場合、再設定前所定時間、生成部１４が生成したＰａｇｉｎｇメッセージを各無線フレームに含める。これにより、無線基地局１は、ＳＦＮおよびＨＳＦＮを再設定した場合、ユーザ端末２ａ〜２ｃに早期にＳＦＮおよびＨＳＦＮを再取得させることができる。
【０１４１】
また、無線基地局１は、ＳＦＮおよびＨＳＦＮを再設定した場合、再設定前所定時間、ＳＩＭ−ｅＤＲＸを含むＰａｇｉｎｇメッセージを送信し、それよりも前では、ＳＩＭ−ｅＤＲＸを含むＰａｇｉｎｇメッセージをユーザ端末２ａ〜２ｃに送信しない。これにより、無線基地局１は、ＳＩＭ−ｅＤＲＸを含むＰａｇｉｎｇメッセージによる無線リソースの消費を抑制できる。
【０１４２】
なお、上記では、信号処理部１２は、電波出力停止前において、最大ｅＤＲＸ周期の時間、ＳＩＭ−ｅＤＲｘを含むＰａｇｉｎｇメッセージを送信した。しかし、実施の形態１の変形例１と同様に、信号処理部１２は、電波出力停止前において、在圏するユーザ端末２ａ〜２ｃに設定されているｅＤＲＸ周期のうちの、最も長い周期の時間、ＳＩＭ−ｅＤＲＸを含むＰａｇｉｎｇメッセージを送信してもよい。
【０１４３】
また、実施の形態１の変形例２と同様に、信号処理部１２は、電波出力停止前において、ｅＤＲＸ周期の最大時間と、電波停止時間との差の時間、ＳＩＭ−ｅＤＲｘを含むＰａｇｉｎｇメッセージを送信してもよい。
【０１４４】
また、上記では、ｅＤＲＸを例に説明したが、ＤＲＸの場合も同様である。ただし、ＤＲＸの場合、ユーザ端末２ａは、無線基地局１から、ＳＩＭを含むＰａｇｉｎｇメッセージを受信する。ユーザ端末２ａは、無線基地局１からＳＩＭを含むＰａｇｉｎｇメッセージを受信すると、次の「ＳＦＮ０」のタイミングで、ＳＦＮを含む報知情報を受信する。
【０１４５】
また、無線基地局１は、ユーザ端末２ａが報知情報を取得するタイミングのとき、電波出力を停止するようにしてもよい。例えば、図１３に示すように、矢印Ａ５１のとき、電波出力を停止するようにしてもよい。
【０１４６】
［実施の形態４］
実施の形態４では、無線基地局の電波出力期間を、ユーザ端末のｅＤＲＸ周期よりも長くする。これにより、ユーザ端末は、スリープ状態を解除したとき、無線基地局の電波受信電力が小さいため、セルの再選択処理を行い、無線基地局からＳＦＮおよびＨＳＦＮを受信する。
【０１４７】
図１４は、実施の形態４に係るＳＦＮを再同期させる処理例を説明する図である。図１４に示すように、無線基地局１の無線部１３は、ユーザ端末２ａのｅＤＲＸ周期より長い時間、電波出力を停止する。ユーザ端末２ａは、「ＳＦＮ１０〜ＳＦＮ１２」において、Ｐａｇｉｎｇメッセージを受信するよう、上位装置から指定されているとする。
【０１４８】
この場合、ユーザ端末２ａは、無線基地局１の電波出力停止中にスリープ状態を解除する。ユーザ端末２ａは、無線基地局１の電波出力停止中にスリープ状態を解除すると、無線基地局１の電波受信電力が小さいため、セルの再選択処理を行い、無線基地局１からＳＦＮおよびＨＳＦＮを受信する。
【０１４９】
以上説明したように、無線基地局１は、ユーザ端末２ａ〜２ｂに設定されているｅＤＲＸ周期よりも長く、電波出力を停止する。これにより、無線基地局１は、ＳＦＮおよびＨＳＦＮを再設定した場合、ユーザ端末２ａ〜２ｃに早期にＳＦＮを再取得させることができる。また、無線基地局１は、ＳＩＭ−ｅＤＲＸを含むＰａｇｉｎｇメッセージを送信しないので、ＳＩＭ−ｅＤＲＸを含むＰａｇｉｎｇメッセージによる無線リソースの消費を抑制できる。また、無線基地局１およびユーザ端末２ａ〜２ｃは、簡易な処理でＳＦＮおよびＨＳＦＮを同期させることができる。
【０１５０】
なお、上記では、ｅＤＲＸを適用したユーザ端末２ａについて説明したが、ＤＲＸを適用したユーザ端末の場合も同様である。この場合、無線基地局１は、ユーザ端末のＤＲＸ周期よりも長く、電波出力を停止する。
【０１５１】
また、ユーザ端末２ａ〜２ｂに設定されているｅＤＲＸ周期の周期は、実施の形態１の［変形例１］で説明した方法によって取得することができる。
【０１５２】
また、無線基地局１は、ユーザ端末２ａ〜２ｂに設定され得る最大のｅＤＲＸ周期の時間、電波出力を停止してもよい。
【０１５３】
また、無線基地局１は、上位装置から、電波出力の停止を指示する情報を受信する受信部を備える。無線部１３は、受信部が電波出力の停止を指示する情報を受信した場合、ユーザ端末のｅＤＲＸ周期よりも長い時間（所定時間）、電波出力を停止する。無線部１３は、所定時間が経過すると、電波出力を再開する。
【０１５４】
以上、各実施の形態について説明した。なお、上記では、無線基地局１は、報知情報を受信するように指示するＰａｇｉｎｇメッセージをユーザ端末２ａ〜２ｃに送信するとしたが、無線基地局１は、ＳＩＢ１内の情報要素として送信されるｓｙｓｔｅｍＩｎｆｏＶａｌｕｅＴａｇの値を更新してもよい。
【０１５５】
（ハードウェア構成）
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１５６】
例えば、本発明の一実施の形態における無線基地局及びユーザ端末は、本発明の処理を行うコンピュータとして機能してもよい。図１５は、本発明の一実施の形態に係る無線基地局及びユーザ端末のハードウェア構成の一例を示す図である。上述の無線基地局及びユーザ端末は、物理的には、プロセッサ１００１、メモリ１００２、ストレージ１００３、通信装置１００４、入力装置１００５、出力装置１００６、バス１００７などを含むコンピュータ装置として構成されてもよい。
【０１５７】
なお、以下の説明では、「装置」という文言は、回路、デバイス、ユニットなどに読み替えることができる。無線基地局及びユーザ端末のハードウェア構成は、図に示した各装置を１つ又は複数含むように構成されてもよいし、一部の装置を含まずに構成されてもよい。
【０１５８】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１５９】
無線基地局及びユーザ端末における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１６０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のブロック例、プロセッサ１００１で実現されてもよい。
【０１６１】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局及びユーザ端末を構成する少なくとも一部の機能ブロックは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１６２】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１６３】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１６４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【０１６５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１６６】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１６７】
また、無線基地局及びユーザ端末は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１６８】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１６９】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１７０】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１７１】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１７２】
（入出力の方向）
情報及び信号等は、上位レイヤ(または下位レイヤ)から下位レイヤ(または上位レイヤ)に出力され得る。複数のネットワークノードを介して入出力されてもよい。
【０１７３】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１７４】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１７５】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１７６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１７７】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７８】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１７９】
（「システム」、［ネットワーク］）
本明細書で使用する「システム」および「ネットワーク」という用語は、互換的に使用される。
【０１８０】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１８１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１８２】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１８３】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１８４】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１８５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１８６】
参照信号は、ＲＳ（Reference Signal）と略称することもでき、適用される標準によってパイロット（Pilot）と呼ばれてもよい。また、補正用ＲＳは、ＴＲＳ（Tracking RS）、ＰＣ−ＲＳ（Phase Compensation RS）、ＰＴＲＳ（Phase Tracking RS）、Additional RSと呼ばれてもよい。また、復調用ＲＳ及び補正用ＲＳは、それぞれに対応する別の呼び方であってもよい。また、復調用ＲＳ及び補正用ＲＳは同じ名称（例えば復調ＲＳ）で規定されてもよい。
【０１８７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１８８】
上記の各装置の構成における「部」を、「手段」、「回路」、「デバイス」等に置き換えてもよい。
【０１８９】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１９０】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１９１】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。
【０１９２】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１９３】
例えば、１サブフレームをＴＴＩと呼んでもよいし、複数の連続したサブフレームをＴＴＩと呼んでもよいし、１スロットをＴＴＩと呼んでもよい。
【０１９４】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１９５】
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１９６】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１９７】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１９８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１９９】
本発明の一態様は、移動通信システムに有用である。
【符号の説明】
【０２００】
１  無線基地局
２ａ〜２ｃ  ユーザ端末
３  コアネットワーク
１１  Ｉ／Ｆ部
１２  信号処理部
１３  無線部
１４  生成部
２１  無線部
２２  信号処理部
２３  制御部
【図１】
2019029716.tif 000003
【図２】
2019029716.tif 000004
【図３】
2019029716.tif 000005
【図４】
2019029716.tif 000006
【図５】
2019029716.tif 000007
【図６】
2019029716.tif 000008
【図７】
2019029716.tif 000009
【図８】
2019029716.tif 000010
【図９】
2019029716.tif 000011
【図１０】
2019029716.tif 000012
【図１１】
2019029716.tif 000013
【図１２】
2019029716.tif 000014
【図１３】
2019029716.tif 000015
【図１４】
2019029716.tif 000016
【図１５】
2019029716.tif 000017